(57)【特許請求の範囲】
【請求項１】
映像再生手段と、入力手段と、客層対応ジャンル記憶手段と、曲対応ジャンル記憶手段と、制御手段とを備える映像再生装置であって、
映像再生手段は、ジャンルの設定された映像を再生可能とし、
入力手段は、曲の指定、及び、少なくとも１つの客層項目を指定可能とし、
客層対応ジャンル記憶手段は、客層項目毎に対応した１つ以上のジャンルを記憶し、
曲対応ジャンル記憶手段は、曲毎に対応した１つ以上のジャンルを記憶し、
制御手段は、指定された曲に対応するジャンルと、指定された客層項目に対応するジャンルとに基づいてジャンルを決定し、当該決定したジャンルの映像を映像再生手段に再生させることを特徴とする映像再生装置。
【請求項２】
入力手段に複数の客層項目が指定された場合には、制御手段は、指定された曲に対応するジャンルと、指定された複数の客層項目間で共通するジャンルとを比較してジャンルを決定することを特徴とする請求項１に記載の映像再生装置。
【請求項３】
前記客層項目は、性別、年齢、間柄等に基づいて予め設定されていることを特徴とする請求項１又は２に記載の映像再生装置。
【請求項４】
前記制御手段によって決定されるジャンルは、前記指定された客層項目に対応するジャンルと、前記指定された曲に対応するジャンルとの共通するジャンルの中から再生ジャンルを決定することを特徴とする請求項１乃至３のいずれか１項に記載の映像再生装置。
【発明の詳細な説明】
【０００１】
【産業上の利用分野】
本発明は、例えばカラオケシステムにおける背景映像等を再生するために用いられる映像再生装置に関するものである。
【０００２】
【従来の技術】
従来、例えばカラオケ装置においては、曲毎に映像データと歌詞の内容及び演奏データを記憶したビデオディスク等を再生していたが、業務用などでは装置１台当りに数千曲ものデータが必要となるため、非常に多くのビデオディスクを用意する必要があった。そして、これら多数枚のビデオディスクを専用の収納ケースに収納し、オートチェンジャ等を用いてリクエストに応じたディスクに交換していた。そのため、多くのディスクを収納する専用収納ケース及びオートチェンジャが占有する面積が大きくなり、特に業務用としてはコンパクト化が希求されていた。
【０００３】
このコンパクト化の一案として実現されているのが、曲データとは別個に映像データを記憶させておき、曲の演奏時に背景映像として表示するものである。この映像データはビデオディスクに収められることが多いが、例えば１枚に、演歌のための映像データとポップスのための映像データとの２種類の映像データが収められているのが一般的である。
【０００４】
そして、演歌とポップスというジャンルの大分類だけでなく、演歌の中でもその映像内容によってさらなるジャンル分けがされることが多い。細かくジャンル分けすることで、より曲のイメージ（内容）に対応した最適な映像を表示することができるし、あるいはいつも同じ映像ばかりでは飽きてしまう可能性もあるので、曲に適する複数の映像を組み合わせて表示することによって、背景映像のバリエーションを増やし、飽きさせないようにすることにも有効である。
【０００５】
【発明が解決しようとする課題】
このように、演奏曲の内容に対応したジャンルの背景映像になるようにし、また少ない映像情報源で、利用者に飽きさせない背景映像を供給する点については考慮されているが、カラオケ演奏時の雰囲気の向上という背景映像の役割を考えると、曲に対応する以外の決定方法も採用できることに本願出願人は着目した。つまり、曲内容に必ずしも対応していなくても、特定の背景映像は特定の客層に好まれるという関係がある。
【０００６】
例えば、女性に好まれる映像・男性に好まれる映像というのもあるし、主に若い人に好まれる映像・年輩の人に好まれる映像というのもある。このように性別や年齢層によって適した映像というものを決めることができる。さらには、例えば複数人でカラオケを利用する場合には、その間柄も関係してくる。例えば家族で利用する場合に好まれる映像というのもあるし、恋人同士で利用する場合に好まれる映像というのも考えられる。
【０００７】
本発明は、指定された客層に対応するジャンルの映像を再生可能な映像再生装置を提供することを目的とする。
【０００８】
【課題を解決するための手段、作用及び発明の効果】
上記目的を達成するために成された請求項１に記載の発明は、映像再生手段と、入力手段と、客層対応ジャンル記憶手段と、曲対応ジャンル記憶手段と、制御手段とを備える映像再生装置であって、映像再生手段は、ジャンルの設定された映像を再生可能とし、入力手段は、曲の指定、及び、少なくとも１つの客層項目を指定可能とし、客層対応ジャンル記憶手段は、客層項目毎に対応した１つ以上のジャンルを記憶し、曲対応ジャンル記憶手段は、曲毎に対応した１つ以上のジャンルを記憶し、制御手段は、指定された曲に対応するジャンルと、指定された客層項目に対応するジャンルとに基づいてジャンルを決定し、当該決定したジャンルの映像を映像再生手段に再生させることを特徴とする映像再生装置である。
【０００９】
上記のように構成された請求項１に記載の映像再生装置によれば、映像再生手段がジャンルの設定された映像を再生するのであるが、客層対応ジャンル記憶手段が客層項目毎に対応して設定された１つ以上のジャンルを記憶しており、曲対応ジャンル記憶手段が曲毎に対応して設定された１つ以上のジャンルを記憶している。入力手段は、曲の指定、及び、少なくとも１つの客層項目を指定可能であり、制御手段が、指定された曲に対応するジャンルと、指定された客層項目に対応するジャンルとに基づいて、ジャンルを決定し、当該決定したジャンル映像を映像再生手段に再生させる。
【００１０】
なお、使用される映像はその内容に応じてジャンルが設定されている。例えば、風景に関しては春夏秋冬や海・山等、あるいはそれらの組合わせによる種類が設定されている。したがって、「夏の風景」や「冬の海」といったようなジャンルを設定することができる。それ以外にも、動物が登場するもの、飛行機や船が登場するものという具合いに映像に登場するものによるジャンル分け、あるいは「出合い」や「別れ」といったようなテーマによるもの等、適宜ジャンル設定をすることができる。
【００１１】
また、客層項目については、例えば、請求項３に示すように、性別・年齢・間柄等に基づいて予め設定しておくことが考えられる。性別であれば男性・女性という設定ができる。また年齢であれば、例えば１０歳台・２０歳台・３０歳台というように１０歳刻みで設定してもよいし、あるいはもっと大まかに設定してもよい。間柄としては、家族・恋人・学生・会社の同僚といったような設定が考えられる。それ以外にも、例えば結婚式の披露宴とかいわゆる二次会や合同コンパといったような特定の客層として捉えることができるものであれば、設定可能である。
【００１２】
客層対応ジャンル記憶手段には、このように設定された客層項目毎に対応するジャンルが設定されているのであるが、これは、その客層に好まれると考えられるものを予め記憶させたものである。したがって、対応するジャンルを最低限一つは記憶させておく必要があるが、例えば全てのジャンルを記憶させてもよいような客層がある可能性もある。例えば客層項目を性別・年齢・間柄等に基づいて設定することが考えられるので、女性に対応するジャンルとして、春や秋の風景、夏の海の風景、あるいは猫が登場するもの、あるいは動物の赤ちゃんが登場するものといった映像を対応ジャンルとして設定することが考えられる。
【００１３】
このように、曲に対応するジャンルと客層項目に対応するジャンルの両方に基づいて決定した再生ジャンルの映像を表示させることができる。例えば請求項４に示すように、指定された客層項目に対応するジャンルと、前記指定された曲に対応するジャンルとの共通するジャンルの中から再生ジャンルを決定するようにすれば、客層に応じてその場の雰囲気をより向上させることができるものでありながら、さらに曲内容にもマッチする映像が表示させることができる。したがって、例えばカラオケ装置に適用された場合、同じカラオケ曲がリクエストされた場合であっても、その客層に応じて全く別の映像が表示される場合もある。
【００１４】
なお、入力手段に複数の客層項目が指定された場合には、請求項２に示すように、制御手段が、指定された曲に対応するジャンルと、指定された複数の客層項目間で共通するジャンルとを比較してジャンルを決定すればよい。例えば、「女性」と「学生」というのを指定すれば、それぞれに対応するジャンルからさらに絞り込まれて、両者に共通するジャンルが再生ジャンルとして決定されることとなる。
【００１５】
【００１６】
【００１７】
【実施例】
以下、本発明を具体化した一実施例を図面を参照して説明する。
図１は、本実施例の映像再生装置をカラオケシステムに適用した場合の概略構成を示すブロック図である。
【００１８】
本カラオケシステム１は、入力手段としての選曲装置１０と、客層対応ジャンル記憶手段及び曲対応ジャンル記憶手段としてのハードディスク２０と、選曲装置１０から入力される指示を受け取り本システム１を操作するコマンダ３０と、映像再生手段としての背景映像供給装置４０と、画像合成装置５０と、画像合成装置５０で合成された画像を出力する表示手段としてのモニタ６０と、制御手段としてのＣＰＵ７０と、ＣＰＵ７０の処理の手順をおさめたＲＯＭ８０と、歌詞テロップをモニタ６０に表示するため歌詞データを一時格納するためのビデオラム（ＶＲＡＭ）９０と、曲目の予約内容及び客層の指定結果等の記憶エリアとしても機能するＲＡＭ１００と、表示パネル１１０、カラオケ演奏ユニット１２０とを備えている。
【００１９】
前記選曲装置１０は、図２に示すように、ケース５１に液晶表示盤５２、「０〜９」の数字および「Ａ，Ｂ」の文字を入力可能な文字キー部５４、確定キー５６並びに取消キー５８、客層指定モードに設定するためのグループキー５９およびカーソルＫの移動を指示するためのカーソルキー６１からなる入力手段としてのキー群６２を備えている。
【００２０】
この選曲装置１０は、リクエスト曲の番号を入力する機能に加えて、客層情報も入力することができるようにされている。具体的には、グループキー５９を操作して客層指定モードにすると、液晶表示盤５２に客層指定候補として、例えば図２に示すように、「女性」、「男性」、「学生」、「恋人」、「戦友」、「合コン」、「二次会」、「４０歳以上」、「６０歳以上」等が表示され、カーソルキー６１でカーソルＫを移動させて再度グループキー５９を操作すると、カーソルＫが位置している客層情報（図２の場合では「女性」）が入力されるようになっている。なお、図２に示すように、液晶表示盤５２には「＋」の表示もされており、ここにカーソルＫを移動させてグループキー５９を操作すると、さらに続けていずれかの客層指定候補を選択することができるようにされている。
【００２１】
また図３に示すように、この選曲装置１０には、選曲装置１０の制御手段としてのＣＰＵ７０、そのＣＰＵ７０で使用されるプログラム等を記憶する記憶手段としてのＲＯＭ７２、ＣＰＵ７０で使用される各種のデータ等を一時的に記憶する一時記憶手段としてのＲＡＭ７４が備えられており、これらはバスライン７６により互いに接続されている。また、バスライン７６にはコマンダ３０との間で無線通信を実行可能な通信手段としての通信部７８も接続されており、入力したリクエスト曲の番号や採点情報はこの通信部７８よりコマンダ３０側へ送信される。
【００２２】
ＣＰＵ７０には上述のキー群６２が接続されており、キー群６２を構成する各キー５４〜６１を介して各種の指令等をＣＰＵ７０に入力できる。液晶ドライバ８２には上述した液晶表示盤５２が接続されており、液晶ドライバ８２は、ＣＰＵ７０から送出される指令およびデータに従って液晶表示盤５２を駆動し、表示させることができる。
【００２３】
また前記ハードディスク２０のカラオケ曲情報ファイル２５には、数千曲程度のカラオケ曲情報が記憶されている。１曲分のカラオケ曲情報は、曲同士を識別するための識別情報である曲番号データと、実体情報とから構成されている。この内の実体情報は、伴奏音楽の情報であるＭＩＤＩ（Musical Instrument Digital Interface）規格の演奏データおよび歌詞を文字表示するための歌詞データを含む。さらに、このハードディスク２０には、客層対応ジャンルテーブル２１と曲対応ジャンルテーブル２３が記憶されている。
【００２４】
客層対応ジャンルテーブル２１には、図４（Ａ）に示すように、客層とそれに対応する映像ジャンルとの関係が記憶されている。例えば、「女性」という客層に対しては、ジャンルＡ１（春の風景），Ｂ１（秋の風景），Ｃ２（夏の海の風景），Ｈ１（猫が登場するもの），Ｈ５（動物の赤ちゃんが登場するもの）の５つが設定されている。これらは、その客層に好まれると考えられるものを予め選択して記憶させたものである。
【００２５】
また、曲対応ジャンルテーブル２３には、図４（Ｂ）に示すように、曲番号とそれに対応する映像ジャンルとの関係が記憶されている。例えば曲番号「０００１」のものについては、ジャンルＡ１，Ａ２，Ｄ１，Ｈ１の４つが曲内容に適合するものとして設定されている。
【００２６】
前記背景映像供給装置４０は、カラオケの背景映像を記憶しており、画像合成装置５０に供給するものであり、画像合成装置５０は、ハードディスク２０から読み出されてＶＲＡＭ９０に格納された歌詞データとこの背景映像供給装置４０から供給された背景映像とを合成して、モニタ６０に出力する。そして、ここに記憶されている背景映像はジャンルによる分類がなされており、この分類されたジャンルが上記客層対応ジャンルテーブル２１と曲対応ジャンルテーブル２３において記憶される。なお、１つのジャンルについて映像は１つとは限らず、複数の映像が同一ジャンルの映像として割り付けられている。
【００２７】
前記ビデオラム（ＶＲＡＭ）９０は、歌詞テロップを画像合成装置５０にかけるためのものであり、ハードディスク２０に記憶されているカラオケ曲情報中の歌詞テロップ情報はＶＲＡＭ９０に供給されて一旦格納される。
また、前記カラオケ演奏ユニット１２０は、カラオケ演奏を行なうためのユニットである。前記ハードディスク２０から送られてきたカラオケ曲情報中の楽音情報を楽曲音声信号に変換して、図示しないミキサアンプに出力される。そして、図示しないマイクを介して入力する利用者の歌声と適度な割合でミキシングされ、ミキシングされた音声信号は、図示しないスピーカにより演奏音として外部へ出力される。
【００２８】
次に本実施例のカラオケシステム１の動作を図５，６のフローチャートを参照して説明する。
まず、リクエストしたい曲番号や客層情報の入力に係る処理を図５を参照して説明する。
【００２９】
利用者は選曲装置１０にてコマンダ３０を操作することで歌いたい曲を選択することができる。本実施例においては、キー群６２中のテンキー等によって４桁の数字を入力することによってリクエストしたい曲を指定し、確定キー５６で確定させることでコマンダ３０側にその曲番号情報を送信することができる。したがって、まず、ステップ１００（以下、ステップをＳと略記する。）において、入力があるかどうかを判断し、もしあればＳ１１０へ移行するが、入力がない場合には、そのまま本処理を終了する。
【００３０】
Ｓ１１０では、その入力がリクエスト曲の番号情報であるかどうかを判断し、そうであれば、Ｓ１２０へ移行して、所定の予約数限度内であるかどうかを判断する。予約数限度内であればＳ１３０へ移行するが、予約数限度を超えていればそのまま本処理を終了する。
【００３１】
Ｓ１３０では、リクエスト受付処理を実行する。これは、リクエストされた曲番号を、ＲＡＭ１００内の予約テーブルに記憶させる。これは、通常、すでに予約されている曲の後の予約順位となるように記憶させる。後述するカラオケ演奏処理においてはこの予約順番に従って演奏されるので、早く予約したカラオケ曲ほど早く演奏されることとなる。
【００３２】
一方、Ｓ１１０で否定判断、すなわち曲番号の入力でないと判断された場合には、Ｓ１４０へ移行して、客層情報の入力がどうかを判断する。この客層情報の入力は、上述したように、グループキー５９を操作して客層指定モードにし、液晶表示盤５２に客層指定候補として、例えば図２に示すように、「女性」、「男性」、「学生」、「恋人」、「戦友」、「合コン」、「二次会」、「４０歳以上」、「６０歳以上」等が表示された状態でカーソルキー６１でカーソルＫを移動させて再度グループキー５９を操作すると、カーソルＫが位置している客層情報（図２の場合では「女性」）が入力される。
【００３３】
客層情報の入力であれば（Ｓ１４０：ＹＥＳ）、Ｓ１５０へ移行するが、客層情報の入力でなければ（Ｓ１４０：ＮＯ）、Ｓ１７０へ移行して、その他の対応する処理を実行する。
Ｓ１５０では、入力された客層情報に基づき、ハードディスク２０の客層対応ジャンルテーブル２１（図４（Ａ）参照）より該当するジャンルを読み出し、続くＳ１６０では、その読み出したジャンルに基づいて指定された客層に対応するジャンルを決定してＲＡＭ１００に記憶させておく。このＲＡＭ１００の客層対応ジャンルは、新たなジャンルが決定されれば更新されていく。なお、Ｓ１５０で読み出したジャンルがそのままＳ１６０で客層対応ジャンルとして決定されるとは限らない。つまり、上述したように図２に示す「＋」表示を用いて、２つ以上の客層指定候補を選択することができるので、例えば「女性」＋「学生」という客層指定がされることもある。その場合には、Ｓ１５０では、客層対応ジャンルテーブル２１より「女性」、「学生」それぞれに該当するジャンルを読み出し、Ｓ１６０では、それらの共通するジャンルを選択する。もちろん、３つ以上でも同様である。
【００３４】
このようにして、リクエスト曲の予約あるいは客層指定に係る処理が実行される。
次に、カラオケ演奏に係る処理を図６を参照して説明する。
本カラオケ演奏処理の最初のステップＳ２００においては、ＲＡＭ１００内の予約テーブルの予約順番に従って、演奏すべき曲のカラオケ曲情報をハードディスク２０のカラオケ曲情報ファイル２５から読み出し、演奏データはカラオケ演奏ユニット１２０に、歌詞データはＶＲＡＭ９０に転送する。
【００３５】
続くＳ２１０では、Ｓ２００で読み出したカラオケ曲情報の曲番号に基づき、ハードディスク２０の曲対応ジャンルテーブル２３（図４（Ｂ）参照）を参照して、該当するジャンルを読み出す。
そして、Ｓ２２０では、Ｓ２１０で読み出したジャンル（曲対応ジャンル）と図５のＳ１６０において決定されＲＡＭ１００に格納されている客層対応ジャンルとに基づいて再生ジャンルを決定する。この再生ジャンル決定は、例えば、Ｓ２１０で読み出したジャンルとＲＡＭ１００に格納されている客層対応ジャンルとの共通するジャンルを再生ジャンルとして決定する。
【００３６】
この再生ジャンルの具体的な決定例を示す。例えば、客層として「女性」が指定され、演奏するカラオケ曲の曲番号が「０００１」であった場合には、図４（Ａ）に示すように、客層対応ジャンルテーブル２１には、「女性」という客層に対してジャンルＡ１，Ｂ１，Ｃ２，Ｈ１，Ｈ５が設定されており、また、図４（Ｂ）に示すように、曲対応ジャンルテーブル２３には、曲番号「０００１」に対してジャンルＡ１，Ａ２，Ｄ１，Ｈ１が設定されているので、Ｓ１６０では、それらの共通するジャンルであるＡ１とＨ１が再生ジャンルとして決定されることとなる。
【００３７】
そして、Ｓ２３０では、カラオケ演奏ユニット１２０に対して楽音演奏の開始を指示すると共に、背景映像に歌詞テロップを合成してモニタ６０への表示を前記楽音演奏に同期して開始させる。詳しくは、背景映像供給装置４０に対して、Ｓ２２０で決定された再生ジャンルの映像の供給を指示し、画像合成装置５０に対しては、ＶＲＡＭ９０に格納された歌詞データと背景映像供給装置４０から供給された背景映像とを合成してモニタ６０に出力することを指示する。
【００３８】
そして、Ｓ２４０で演奏終了であるかどうかを判断し、演奏終了であれば（Ｓ２４０：ＹＥＳ）、背景映像供給装置４０に対して映像供給の停止を指示し、本処理を終了する。
このように、本実施例のカラオケシステム１においては、利用者自らが、選曲装置１０を用いて、自分達のグループに共通する客層項目を指定することができる。具体的には、図２に示すように、液晶表示盤５２に表示された「女性」、「男性」、「学生」、「恋人」、「戦友」、「合コン」、「二次会」、「４０歳以上」、「６０歳以上」等の客層指定候補の中で、該当するものがある場合には、それを指定することができる。
【００３９】
ハードディスク２０の客層対応ジャンルテーブル２１（図４（Ａ）参照）には、これらの客層に好まれると考えられるジャンルが予め選択して記憶させているので、このように客層を指定しておけば、カラオケ演奏時に、その客層に対応するジャンルの映像を表示させることができる。したがって、客層に応じて、その場の雰囲気をより向上させることができるのである。
【００４０】
なお、上記実施例では、具体例として、「女性」、「男性」、「学生」、「恋人」、「戦友」、「合コン」、「二次会」、「４０歳以上」、「６０歳以上」を客層指定候補として挙げたが、それ以外にも、年齢に関するものとして１０歳台・２０歳台・３０歳台、間柄に関するものとして家族・会社の同僚といったようなもの、そして、結婚式の披露宴といったような指定候補も考えられる。すなわち、特定の客層として捉えることができるものであれば、設定可能である。
【００４１】
そして、それら特定の客層に対して好ましいと思われるジャンルを設定しておき、雰囲気を盛り上げるのである。もちろん、この特定の客層に対して好ましいと思われるジャンルを設定する際には、好ましくないジャンルを当然除く。例えば、結婚式の披露宴という客層に対しては「別れ」がテーマになっているようなジャンルは除くし、また、家族という客層に対しては、例えば小さな子供が居ることを考慮して、大人向けのいわゆる「アダルト映像」は除くようにする。そして、そのように単に好ましくないジャンルを除くだけでなく、積極的に「好ましい」ジャンルのみを設定しておくことにより、雰囲気をより盛り上げるのである。つまり、好ましいものでも好ましくないものでないジャンルについては設定しない。
【００４２】
また、本実施例の場合には、曲毎に対応するジャンル情報も参照して、詳しくは、曲対応ジャンルと客層対応ジャンルとに共通するジャンルを再生ジャンルとして決定しているため、客層にも対応するものでありながら、さらに曲内容にもマッチする映像を表示させることができる。
【００４３】
なお、上記実施例では、曲毎に対応するジャンル情報も参照していたが、本発明の思想としては、曲対応ジャンルを必ずしも参照する必要はない。つまり、客層対応ジャンルのみにしたがって再生ジャンルを決定してもよく、その場合、同じカラオケ曲がリクエストされた場合であっても、その客層に応じて全く別の映像が表示される場合もある。
【００４４】
また、上記実施例では、複数の客層が指定された場合に、客層対応ジャンルテーブル２１から読み出したそれぞれに対応するジャンルの共通ジャンルを最終的な客層対応ジャンルとして決定したが、例えば、それらの和をとって、いずれか一つにでも該当するジャンルを最終的な客層対応ジャンルとして決定することも考えられる。また、同様に、曲対応ジャンルと客層対応ジャンルとに基づいて再生ジャンルを決定する場合においても、両者の和をとって、いずれか一つにでも該当するジャンルを再生ジャンルとして決定することも考えられる。
【００４５】
以上実施例について説明したが、本発明は上記実施例に限定されるものではなく、種々の態様で実施し得る。
例えば、上記実施例では、客層を指定する場合に、グループキー５９を操作して客層指定モードにすると、液晶表示盤５２に客層指定候補として、例えば図２に示すように、「女性」や「男性」等が表示され、カーソルキー６１でカーソルＫを移動させて選択指定するようにしたが、客層指定候補が多い場合には、例えば「性別」、「間柄」、「年齢」といった大きな分類毎に選択候補を表示するようにしてもよい。例えば、「性別」を指定すれば、「「女性」と「男性」が表示され、「間柄」を指定すれば、「家族」、「恋人」「友人」、「会社の同僚」等が表示されるようにしてもよい。そして、グループキー５９を操作すると、カーソルＫが位置している客層情報（図２の場合では「女性」）が入力されるようになっている。
【００４６】
また、液晶表示盤５２に客層指定候補を表示するのではなく、それらの客層指定候補をダイレクトに指定するためのキーを選曲装置１０に各々設けてもよい。  なお、本発明の映像再生装置は、上記カラオケシステムに限らず、いわゆるＢＧＶとして映像だけを流す場合であっても、同様に適用できる。
【図面の簡単な説明】
【図１】実施例の映像再生装置をカラオケシステムに適用した場合の概略構成を示すブロック図である。
【図２】客層情報入力機能を持つ実施例の選曲装置の正面図である。
【図３】客層情報入力機能を持つ選曲装置の概要構成を示すブロック図である。
【図４】（Ａ）は客層対応ジャンルテーブルを示す説明図、（Ｂ）は曲対応ジャンルテーブルを示す説明図である。
【図５】実施例のカラオケシステムにおけるリクエストしたい曲番号や客層情報の入力に係る処理を示すフローチャートである。
【図６】実施例におけるカラオケ演奏処理を示すフローチャートである。
【符号の説明】
１…カラオケシステム              １０…選曲装置
１３…確定ボタン                  ２０…ハードディスク
２１…客層対応ジャンルテーブル    ２３…曲対応ジャンルテーブル
２５…カラオケ曲情報ファイル      ３０…コマンダ
４０…背景映像供給装置            ５０…画像合成装置
５１…ケース                      ５２…液晶表示盤
５４…文字キー部                  ５８…取消キー
５９…グループキー                ６０…モニタ
６１…カーソルキー                ６２…キー群
７６…バスライン                  ７８…通信部
８２…液晶ドライバ              １１０…表示パネル
１２０…カラオケ演奏ユニット
【図１】
0003560389.tif 000002
【図２】
0003560389.tif 000003
【図３】
0003560389.tif 000004
【図４】
0003560389.tif 000005
【図５】
0003560389.tif 000006
【図６】
0003560389.tif 000007